(57)【要約】【課題】電動送風機の吸気側から透過する騒音、特に高周波音に対して低騒音化を図った電気掃除機用の集塵袋を提供する。【解決手段】中央部に開口孔２７を有する口板２８と、前記口板２８に取り付けられた袋体３０とを備え、前記袋体の少なくとも一部に吸音材２９を設けたもので、本電気掃除機用の集塵袋を電気掃除機（図示せず）に使用すると、電気掃除機に内蔵された電動送風機（図示せず）の吸気側から透過してくる騒音が前記吸音材２９により吸音されるので、集塵室（図示せず）側から透過してくる不快音を低減することができるものである。【選択図】図４
2012005677.tif 000002
【特許請求の範囲】
【請求項１】
中央部に開口を有する口板と、前記口板に取り付けられた袋体とを備え、前記袋体の少なくとも一部に消音部を設けた電気掃除機用の集塵袋。
【請求項２】
消音部に、吸音材を配置する構成とした請求項１に記載の電気掃除機用の集塵袋。
【請求項３】
消音部は、袋体に使用されている材質よりも比重の重い材質で構成した請求項１又は２に記載の電気掃除機用の集塵袋。
【請求項４】
消音部は、不通気である材質で構成された請求項３に記載の電気掃除機用の集塵袋。
【請求項５】
消音部は、電気掃除機用の集塵袋が電気掃除機に装着された際に、前記電気掃除機に内蔵された電動送風機によって発生する吸引圧が最も集中する箇所に配置された請求項１〜４のいずれか１項に記載の電気掃除機用の集塵袋。
【請求項６】
請求項１〜５のいずれか１項に記載の電気掃除機用の集塵袋を用いた電気掃除機。
【発明の詳細な説明】
【技術分野】
【０００１】
本発明は、電気掃除機用の集塵袋とそれを用いる電気掃除機に関するものである。
【背景技術】
【０００２】
従来の電気掃除機用の集塵袋を使用した電気掃除機として、塵埃を吸引するための電動送風機と、電動送風機を内蔵する本体と、この本体に設けられ前記電動送風機からの排気を外部に排出する排気口とを有し、電動送風機と排気口とを連通して形成される排気通路の一部を、可撓性材料からなる遮蔽板で遮蔽するようにして、電動送風機の強運転時には排気通路を遮蔽している遮蔽板の一部が撓み変形して必要な排気通路面積を確保する一方、弱運転時には排気風速の低下に応じて、排気通路を強運転時より大きく遮蔽し、特に高周波音が直接排気口より排出されることを防止して静音化ができるようにしたものがある（例えば、特許文献１参照）。
【０００３】
また、集塵室に消音部を設け低騒音化を図ったものも提案されている（例えば、特許文献２参照）。
【先行技術文献】
【特許文献】
【０００４】
【特許文献１】特開平１１−１７８７５３号公報
【特許文献２】特開平１０−２１１１２８号公報
【発明の概要】
【発明が解決しようとする課題】
【０００５】
しかしながら、上記特許文献１に記載されたような従来の電気掃除機の構成では、電動送風機から発せられる騒音、特に高周波音は、排気口のみでなく、塵埃を吸引するための吸気口からも透過しているため、吸気口側については静音化効果が得られないといった課題があった。
【０００６】
また、上記特許文献２に記載されたような従来の電気掃除機の構成では、塵埃を吸引するための電動送風機の前方に、複雑な形状の別部品となる消音部を配置させるため、少々高価となり、また、前記電動送風機と塵埃を捕集する集塵袋を収納する集塵室との間には、前記電動送風機への接触防止の格子が設けてあることは一般的であるが、前記消音部を配置することにより、構造が複雑化し、十分な強度の確保を得るには少々難しい、といった課題があった。
【０００７】
本発明は、上記従来の課題を解決するもので、電気掃除機の電動送風機の吸気側から透過してくる騒音を吸音して、集塵室側から透過してくる不快音を低減することができる電気掃除機用の集塵袋と、集塵室側から透過してくる不快音を低減した電気掃除機を提供することを目的とするものである。
【課題を解決するための手段】
【０００８】
上記従来の課題を解決するために本発明の電気掃除機用の集塵袋は、中央部に開口を有する口板と、前記口板に取り付けられた袋体とを備え、前記袋体の少なくとも一部に消音部を設けたもので、本電気掃除機用の集塵袋を電気掃除機に使用すると、電気掃除機に内蔵された電動送風機の吸気側から透過してくる騒音が前記消音部により吸音されるので、集塵室側から透過してくる不快音を低減することができる。
【０００９】
また、本発明に係る電気掃除機は、請求項１〜５のいずれか１項に記載の電気掃除機用の集塵袋を用いたもので、集塵室側から透過してくる不快音を低減することができる。
【発明の効果】
【００１０】
本発明の電気掃除機用の集塵袋及び電気掃除機は、電動送風機の吸気側から透過する騒音、特に高周波音を確実に低減することができる。
【図面の簡単な説明】
【００１１】
【図１】本発明の実施の形態１における電気掃除機用の集塵袋を用いた電気掃除機の全体斜視図
【図２】同電気掃除機の断面図
【図３】同電気掃除機用の集塵袋の平面図
【図４】同電気掃除機用の集塵袋の図３に示すＡ−Ａ断面での断面図
【発明を実施するための形態】
【００１２】
第１の発明は、中央部に開口を有する口板と、前記口板に取り付けられた袋体とを備え、前記袋体の少なくとも一部に消音部を設けたもので、本電気掃除機用の集塵袋を電気掃除機に使用すると、電気掃除機に内蔵された電動送風機の吸気側から透過してくる騒音が前記消音部により吸音されるので、集塵室側から透過してくる不快音を低減することができる。
【００１３】
第２の発明は、特に、第１の発明の消音部に、吸音材を配置するもので、前記集塵室側から透過してくる不快音を低減することができる。また吸音材にはさまざまな種類が存在するので、消音したい周波数帯に効果的な吸音材を選定することにより、さまざまな周波数帯の吸音を可能にするものである。
【００１４】
第３の発明は、特に、第１または第２の発明の消音部は、袋体に使用されている材質よりも比重の重い材質で構成したもので、電動送風機の吸気側から発せられる透過性の高い高周波音を効果的に遮音することができるものである。
【００１５】
第４の発明は、特に、第３の発明の消音部は、不通気である材質で構成されたもので、集塵袋の少なくとも一部に設けた消音部を、袋体に使用されている材質よりも比重が重く、かつ不通気の材質で構成することにより、電動送風機の吸気側から発せられる透過性の高い高周波音を効果的に遮音することができ、さらに開口から電気掃除機用の集塵袋内に吸引された塵埃は、開口に相対する電気掃除機用の集塵袋の内壁面に接近したあと、電気掃除機用の集塵袋の内壁面に沿う気流によって、電気掃除機用の集塵袋の側面から開口のある前面方向へと移送されて、前記電気掃除機用の集塵袋の開口に相対する内壁面以外から塵埃が捕集される。電動送風機の吸気部近傍に位置する電気掃除機用の集塵袋の通気部には塵埃が付着しにくく、電動送風機の吸気部前の塵埃付着による通気抵抗増加を抑え、高い吸い込み性能の維持を可能にすることができるものである。
【００１６】
第５の発明は、特に、第１〜４のいずれか一つの発明の消音部は、電気掃除機用の集塵袋が電気掃除機に装着された際に、前記電気掃除機に内蔵された電動送風機によって発生する吸引圧が最も集中する箇所に配置されるもので、より電動送風機の吸気側から発せられる騒音の集中している箇所に配置でき、より効果的に消音効果を得られるものである。
【００１７】
第６の発明に係る電気掃除機は、請求項１〜５のいずれか１項に記載の電気掃除機用の集塵袋を用いたもので、集塵室側から透過してくる不快音を低減することができる。
【００１８】
以下、本発明の実施の形態について、図面を参照しながら説明する。なお、この実施の形態によって本発明が限定されるものではない。
【００１９】
（実施の形態１）
図１は、本発明の実施の形態１における電気掃除機用の集塵袋を用いた搭載した電気掃除機の全体斜視図、図２は、同電気掃除機の断面図、図３は、同電気掃除機用の集塵袋の平面図、図４は、同電気掃除機用の集塵袋の図３に示すのＡ−Ａ断面での断面図である。
【００２０】
図１、２において、１は、電気掃除機本体で、後部に電動送風機２を内蔵した電動送風機室３が配され、前部に、着脱自在で塵埃を捕集するエレクトレット加工された本実施の形態における電気掃除機用の集塵袋４（以下「集塵袋４」という）を収納する集塵室５が配され、後方下部の両側に１対の走行用の車輪６が回転自在に取着され、底面前部には、同じく走行用のキャスター７が取着されている。電気掃除機本体１の前部には、ホース８の一端に設けた接続パイプ９が着脱自在に接続される吸入口１０が設けられている。
【００２１】
前記エレクトレット加工された集塵袋４の材質は、ポリプロピレン等の熱可塑性繊維で構成されており、空気等の摩擦で帯電することになる。
【００２２】
ホース８の他端には、掃除の際に握る把手１１を備えた先端パイプ１２が設けられている。１３は、伸縮自在或いは継ぎ自在の延長管で、下流側端部が前記先端パイプ１２に着脱自在に接続され、他端は、塵埃掻き揚げ用の回転ブラシ１４と、その回転ブラシ１４を回転駆動するモーター１５を内蔵した吸込具１６に着脱自在に接続される。
【００２３】
１７は、電気掃除機本体１を持ち運ぶ際に使用する本体ハンドルで、電気掃除機本体１の集塵室５を覆う蓋１８と上ボディ１９で構成されている。
【００２４】
電動送風機２の前部は、弾性材料からなるサポート前２０で、後部は、同じく弾性材料からなるサポート後２１で、電動送風機室３内に支持されており、モーターケース２２とモーターカバー２３にて、前記サポート前２０とサポート後２１を挟持している。電動送風機２の前方には集塵室５に連通する連通口２４が設けられている。
【００２５】
図３、４は、本実施の形態における集塵袋４の構成を示している。本実施の形態における集塵袋４は、袋内２５と袋外２６の二層からなる袋体３０と、ボール紙などからなり、集塵袋４内に通じる開口孔２７を有すると共に、集塵した塵埃が洩れないように袋体３０に接着された口板２８から構成されている。
【００２６】
袋内２５と袋外２６のそれぞれは、ポリプロピレン等のスパンボンド、ヒートボンド、メルトブロー等からなる不織布で形成されている。
【００２７】
さらに、集塵袋４の口板２８と対面する箇所で、袋内２５と袋外２６との間には、例えば、ウレタン発泡材などからなる消音部としての吸音材２９が接着されている。
【００２８】
以上のように構成された本実施の形態における集塵袋４及び電気掃除機の動作、作用は以下の通りである。
【００２９】
電動送風機２を運転すると、吸引風の発生に伴い運転音が発生する。特に、電動送風機２のファン（図示せず）の羽枚数と回転数に起因するＮＺ音と呼ばれる高周波音が電動送風機２から発生し、前記高周波音は、電動送風機２前方の連通口２４を通り集塵室５の方向に放射される。連通口２４から集塵室５へ抜けた高周波音は、集塵袋４を通過する際、集塵袋４に配置された吸音材２９により騒音を低減することができる。
【００３０】
なお、吸音材２９を、袋体３０に使用されている材質よりも比重の重い材質で構成すれば、電動送風機２の吸気側から発せられる透過性の高い高周波音を効果的に遮音することができる。
【００３１】
また、吸音材２９を、袋体３０に使用されている材質よりも比重が重く、しかも不通気性の材質で構成すれば、電動送風機２の吸気側から発せられる透過性の高い高周波音を効果的に遮音することができ、さらに開口孔２７から集塵袋４内に吸引された塵埃は、開口孔２７に相対する集塵袋４の内壁面に接近したあと、集塵袋４の内壁面に沿う気流によって、集塵袋４の側面から開口孔２７のある前面方向へと移送されて、集塵袋４の開口孔２７に相対する内壁面以外から塵埃が捕集される。
【００３２】
これにより、電動送風機２の吸気部近傍に位置する集塵袋４の通気部には塵埃が付着しにくく、電動送風機２の吸気部前の塵埃付着による通気抵抗増加を抑え、高い吸い込み性能の維持を可能にすることができる。
【００３３】
また、集塵袋４を電気掃除機に装着したときに、吸音材２９が、電動送風機２によって発生する吸引圧が最も集中する箇所、すなわち電動送風機２の吸気側から発せられる騒音が集中する箇所に配置されるようにすれば、より効果的に消音効果を得られるものである。
【産業上の利用可能性】
【００３４】
以上のように、本発明にかかる電気掃除機用の集塵袋は、簡便な手段により低騒音化に優れたもので、各種家庭用、業務用電気掃除機等に広く適用できる。
【符号の説明】
【００３５】
１    電気掃除機本体
２    電動送風機
４    電気掃除機用の集塵袋（集塵袋）
１６  吸込具
２５  袋内
２６  袋外
２７  開口孔（開口）
２９  吸音材（消音部）
２８  口板
３０  袋体
【図１】
2012005677.tif 000003
【図２】
2012005677.tif 000004
【図３】
2012005677.tif 000005
【図４】
2012005677.tif 000006